(57)【特許請求の範囲】
【請求項１】
直流電路の主回線（１）から端子台（８）を介して分岐された複数の分岐回線のうち地絡事故が発生した分岐回線を特定するために使用されるクランプメータ（１０）であって、
第２の端子（１２2）を前記端子台のアース端子に取り付けるとともに第１の端子（１２1）を該端子台の前記複数の分岐回線のうちの任意の分岐回線の前記地絡事故が発生した極側の極端子に取り付けて、該複数の分岐回線の前記地絡事故が発生した極側に交流電圧を該第１および第２の端子を介して印加するための交流電源（１６）と、
前記複数の分岐回線の各々に流れる交流地絡電流（ｉg）を検出するためのクランプ形変流器（１５）と、
前記クランプ形変流器によって検出された前記交流地絡電流に含まれている対地静電容量電流（ｉc）を除去するための対地静電容量電流除去手段（１８，１９，２０）と、
前記クランプ形変流器に設けられた巻線（２１）の両端に接続されているとともに、該クランプ形変流器によって検出された前記交流地絡電流に含まれている地絡電流（ｉr）の電流値を測定するための地絡電流測定部（２２）と、
前記複数の分岐回線のうちの前記交流電源から前記交流電圧が印加された分岐回線で記クランプ形変流器によって検出された前記交流地絡電流の電流値、および、前記地絡電流測定部によって測定された前記地絡電流の電流値を表示するための表示部（２３）とを具備し、
前記交流電源の一端がカップリングコンデンサ（１７）を介して前記第１の端子に接続されているとともに、該交流電源の他端が前記第２の端子に接続されており、
前記対地静電容量電流除去手段が、
前記クランプ形変流器に設けられたタップ付巻線（２０）と、
前記タップ付巻線のタップを切り換えるためのスイッチ（１９）と、
前記スイッチと前記第２の端子との間に設けられた可変コイル（１８）とを備え、
前記タップ付巻線の一端が前記第１の端子に接続されているとともに、前記スイッチによって切り換えられた該タップ付巻線のタップが該スイッチおよび前記可変コイルを介して前記第２の端子に接続される、
ことを特徴とする、クランプメータ。
【請求項２】
他の交流電圧を前記複数の分岐回線の前記地絡事故が発生した極側に印加するための交流電源装置と組み合わせて使用する場合に、該交流電源装置から送られてくる該他の交流電圧と同期させて前記交流電源から前記交流電圧を出力させる手段をさらに具備することを特徴とする、請求項１記載のクランプメータ。
【請求項３】
直流電路の主回線（１）から端子台（８）を介して分岐された複数の分岐回線のうち地絡事故が発生した分岐回線を請求項１記載のクランプメータ（１０）を用いて特定するための直流地絡回線探査方法であって、
第２の端子（１２2）を前記端子台のアース端子に取り付けるとともに第１の端子（１２1）を該端子台の前記複数の分岐回線のうちの任意の分岐回線の前記地絡事故が発生した極側の極端子に取り付けて、前記クランプメータが具備する交流電源（１６）から該第１および第２の端子を介して該複数の分岐回線の前記地絡事故が発生した極側に交流電圧を印加し、
前記クランプメータが具備するクランプ形変流器（１５）を用いて前記任意の分岐回線に流れる交流地絡電流（ｉg）を検出し、
前記クランプメータが具備する対地静電容量電流除去手段（１８，１９，２０）によって前記検出された交流地絡電流に含まれている対地静電容量電流（ｉc）を除去し、
前記クランプメータが具備する地絡電流測定部（２２）によって前記検出された交流地絡電流に含まれている地絡電流（ｉr）の電流値を測定し、
前記クランプメータが具備する表示部（２３）に表示される前記交流地絡電流の電流値が最小となるように該クランプメータが具備する可変コイル（１８）のリアクタンス値（Ｌ）を調整して、前記地絡電流の電流値を測定し、
前記複数の分岐回線のうち前記測定した地絡電流の電流値が“０”以外の値を示した分岐回線（２）を地絡回線として特定する、
ことを特徴とする、直流地絡回線探査方法。
【請求項４】
前記表示部に表示される前記交流地絡電流の電流値が最小となるように前記可変コイルのリアクタンス値を調整しても該交流地絡電流の最小電流値が得られない場合には、前記クランプメータが具備するスイッチ（１９）によって前記タップ付巻線のタップを切り換えたのちに前記可変コイルのリアクタンス値を再度調整することを特徴とする、請求項３記載の直流地絡回線探査方法。
【発明の詳細な説明】
【技術分野】
【０００１】
本発明は、クランプメータおよび直流地絡回線探査方法に関し、特に、地絡事故が発生した直流電路の分岐回線を特定するのに好適なクランプメータおよび直流地絡回線探査方法に関する。
【背景技術】
【０００２】
地絡事故が発生した直流電路の分岐回線（以下、「地絡回線」と称する。）を特定する原理として、直流電路の主回線１から分岐された第２の分岐回線２2のＰ極側おいて地絡事故が発生した場合について図８に示すように、直流地絡電流Ｉgが地絡点からアースおよび直流地絡検出継電器４を通って直流電源１に帰ってくるという閉回路が成立することを利用して、第１乃至第３の分岐回線２1〜２3にそれぞれ設置された第１乃至第３の変流器７1〜７3によって直流地絡電流Ｉgを検出して、事故検出情報を直流地絡検出装置６に送ることが知られている。
【０００３】
また、直流地絡検出装置６として、第１乃至第３の変流器７1〜７3によって検出した直流地絡電流Ｉgを交流信号に変換して、変換した交流信号を用いて地絡回線を特定する交流変換方式のものが知られている。
このような交流変換方式の直流地絡検出装置６は、直流地絡検出継電器４のメイク接点信号に基づいて動作を開始すると、直流地絡検出継電器４の接点を切り離すとともに、トランジスタによる電子的可変抵抗を所定の周波数の正弦波で制御して交流電圧を発生し主回線１に印加する。また、第１乃至第３の変流器７1〜７3によって検出される交流地絡電流ｉgには地絡電流ｉrおよび対地静電容量電流ｉc（対地静電容量を流れる電流）の両方が含まれているため、地絡電流ｉrと対地静電容量電流ｉcとの位相差が９０°であることを利用した同期整流処理を行って対地静電容量電流ｉcを除去して地絡電流ｉrのみを抽出している（たとえば、テンパール工業株式会社製の直流電路地絡電流携帯変換器（ＤＳＲ−Ｄ）および直流電路地絡点携帯検出器（ＤＳＰ−Ｄ）参照）。
【０００４】
なお、下記の特許文献１には、簡便な手段により地絡故障が発生した回線の特定を正確かつ確実に行うために、直流電源を有する主回線とその主回線から分岐した複数の回線とを備え、それら回線のいずれかに発生した地絡故障を検出する継電器を主回線に設けた直流制御電源回線について、その地絡故障が発生した回線を特定する装置であって、回線の正極側電路または負極側電路に介挿されて所定の電圧を降下させる手段としてダイオードを有する、直流地絡回線の判別装置が開示されている。
また、下記の特許文献２には、直流負荷への給電を停止することなく直流地絡箇所を検出できる安価な直流給電回線の地絡検出回線を提供するために、直流電源から分岐回線を介して直流負荷に直流電力を供給する直流給電回線の分岐回線の地絡を検出する直流地絡検出器を直流電源の出力間に設け、直流地絡検出器としては、測定回線の抵抗値の変化により検出感度が変化するものを用い、各分岐回線の少なくとも正極側ラインの途中に、ダイオードからなる微小抵抗回線と地絡測定時に微小抵抗回線を短絡する短絡用スイッチ回線とを並列に接続してなる並列回線を直列接続することが開示されている。
【特許文献１】特開２００６−６０８９３号公報
【特許文献２】特開平６−１１３４４２号公報
【発明の開示】
【発明が解決しようとする課題】
【０００５】
しかしながら、上述した交流変換方式の直流地絡検出装置では、電子的可変抵抗を制御して交流電圧を発生したり、同期整流処理を行って対地静電容量電流ｉcを除去したりしているため、携帯型の装置といえども装置全体が大きくかつ重たくなっているので、もっと小型でかつ軽量にしたいという要請がある。
また、上述したような交流変換方式の直流地絡検出装置を用いずに、もっと簡易に地絡回線を特定したいという要請がある。
【０００６】
本発明の目的は、小型化および軽量化が図れるクランプメータと簡易に地絡回線を特定することができる直流地絡回線探査方法とを提供することにある。
【課題を解決するための手段】
【０００７】
本発明のクランプメータは、直流電路の主回線（１）から端子台（８）を介して分岐された複数の分岐回線のうち地絡事故が発生した分岐回線を特定するために使用されるクランプメータ（１０）であって、第２の端子（１２2）を前記端子台のアース端子に取り付けるとともに第１の端子（１２1）を該端子台の前記複数の分岐回線のうちの任意の分岐回線の前記地絡事故が発生した極側の極端子に取り付けて、該複数の分岐回線の前記地絡事故が発生した極側に交流電圧を該第１および第２の端子を介して印加するための交流電源（１６）と、前記複数の分岐回線の各々に流れる交流地絡電流（ｉg）を検出するためのクランプ形変流器（１５）と、前記クランプ形変流器によって検出された前記交流地絡電流に含まれている対地静電容量電流（ｉc）を除去するための対地静電容量電流除去手段（１８，１９，２０）と、前記クランプ形変流器に設けられた巻線（２１）の両端に接続されているとともに、該クランプ形変流器によって検出された前記交流地絡電流に含まれている地絡電流（ｉr）の電流値を測定するための地絡電流測定部（２２）と、前記複数の分岐回線のうちの前記交流電源から前記交流電圧が印加された分岐回線で記クランプ形変流器によって検出された前記交流地絡電流の電流値、および、前記地絡電流測定部によって測定された前記地絡電流の電流値を表示するための表示部（２３）とを具備し、前記交流電源の一端がカップリングコンデンサ（１７）を介して前記第１の端子に接続されているとともに、該交流電源の他端が前記第２の端子に接続されており、前記対地静電容量電流除去手段が、前記クランプ形変流器に設けられたタップ付巻線（２０）と、前記タップ付巻線のタップを切り換えるためのスイッチ（１９）と、前記スイッチと前記第２の端子との間に設けられた可変コイル（１８）とを備え、前記タップ付巻線の一端が前記第１の端子に接続されているとともに、前記スイッチによって切り換えられた該タップ付巻線のタップが該スイッチおよび前記可変コイルを介して前記第２の端子に接続されることを特徴とする。
ここで、他の交流電圧を前記複数の分岐回線の前記地絡事故が発生した極側に印加するための交流電源装置と組み合わせて使用する場合に、該交流電源装置から送られてくる該他の交流電圧と同期させて前記交流電源から前記交流電圧を出力させる手段をさらに具備してもよい。
【０００８】
本発明の直流地絡回線探査方法は、直流電路の主回線（１）から端子台（８）を介して分岐された複数の分岐回線のうち地絡事故が発生した分岐回線を請求項１記載のクランプメータ（１０）を用いて特定するための直流地絡回線探査方法であって、第２の端子（１２2）を前記端子台のアース端子に取り付けるとともに第１の端子（１２1）を該端子台の前記複数の分岐回線のうちの任意の分岐回線の前記地絡事故が発生した極側の極端子に取り付けて、前記クランプメータが具備する交流電源（１６）から該第１および第２の端子を介して該複数の分岐回線の前記地絡事故が発生した極側に交流電圧を印加し、前記クランプメータが具備するクランプ形変流器（１５）を用いて前記任意の分岐回線に流れる交流地絡電流（ｉg）を検出し、前記クランプメータが具備する対地静電容量電流除去手段（１８，１９，２０）によって前記検出された交流地絡電流に含まれている対地静電容量電流（ｉc）を除去し、前記クランプメータが具備する地絡電流測定部（２２）によって前記検出された交流地絡電流に含まれている地絡電流（ｉr）の電流値を測定し、前記クランプメータが具備する表示部（２３）に表示される前記交流地絡電流の電流値が最小となるように該クランプメータが具備する可変コイル（１８）のリアクタンス値（Ｌ）を調整して、前記地絡電流の電流値を測定し、前記複数の分岐回線のうち前記測定した地絡電流の電流値が“０”以外の値を示した分岐回線（２）を地絡回線として特定することを特徴とする。
ここで、前記表示部に表示される前記交流地絡電流の電流値が最小となるように前記可変コイルのリアクタンス値を調整しても該交流地絡電流の最小電流値が得られない場合には、前記クランプメータが具備するスイッチ（１９）によって前記タップ付巻線のタップを切り換えたのちに前記可変コイルのリアクタンス値を再度調整してもよい。
【発明の効果】
【０００９】
本発明のクランプメータおよび直流地絡回線探査方法は、以下に示す効果を奏する。
（１）交流電源を具備するクランプメータを使用することにより、電子的可変抵抗を制御して交流電圧を発生する必要がなくなるため、クランプメータを小型かつ軽量にすることができる。
（２）クランプメータが具備する対地静電容量電流除去手段をタップ付巻線、スイッチおよび可変コイルで構成することにより、クランプメータを更に小型かつ軽量にすることができる。
（３）交流電源を具備するクランプメータまたは交流電源装置を用いることにより、交流変換方式の直流地絡検出装置を用いる場合に比べて、より簡易に地絡回線を特定することができる。
【発明を実施するための最良の形態】
【００１０】
上記の目的を、交流電源、クランプ形変流器、対地静電容量電流除去手段および地絡電流測定部を具備するクランプメータを用いて、交流電源から複数の分岐回線に交流電圧を印加し、各分岐回線を流れる交流地絡電流をクランプ形変流器によって検出し、検出した交流地絡電流に含まれている対地静電容量電流を対地静電容量電流除去手段によって除去し、交流地絡電流に含まれている地絡電流の電流値を地絡電流測定部によって測定し、測定した地絡電流の電流値に基づいて地絡回線を特定することにより実現した。
【実施例１】
【００１１】
以下、本発明のクランプメータおよび直流地絡回線探査方法の実施例について、図面を参照して説明する。
本発明の第１の実施例によるクランプメータ１０は、図１に示すように、直流電路の主回線１（図２参照）から分岐された複数の分岐回線（図２の分岐回線２など）の各々に流れる交流地絡電流ｉgを検出するためのクランプ形変流器１５と、複数の分岐回線に交流電圧を印加するための交流電源（地絡電源）１６と、クランプ形変流器１５によって検出された交流地絡電流ｉgに含まれている対地静電容量電流ｉcを除去するための可変コイル１８、スイッチ１９およびタップ付巻線２０（対地静電容量電流除去手段）と、クランプ形変流器１５によって検出された交流地絡電流ｉgに含まれている地絡電流ｉrの電流値を測定するための地絡電流測定部２２と、地絡電流測定部２２によって測定された地絡電流ｉrの電流値を表示するための表示部２３とを具備する。
【００１２】
ここで、クランプ形変流器１５は筐体１１の上面に設けられており、交流電源１６、カップリングコンデンサ１７、可変コイル１８および地絡電流測定部２２は筐体１１内に設けられており、スイッチ１９および表示部２３は筐体１１の前面に設けられている。また、筐体１１の前面には、第１および第２の端子１２1，１２2と、可変コイル１８のリアクタンス値Ｌを変えるためのリアクタンス調整用つまみ（不図示）とが設けられている。
【００１３】
交流電源１６の一端はカップリングコンデンサ１７を介して第１の端子１２1に接続されており、交流電源１６の他端は第２の端子１２2に接続されている。
交流電源１６から出力される交流電圧は、第１および第２のリード線１３1，１３2を介して第１および第２の端子１２1，１２2にそれぞれ接続された第１および第２のクリップ１４1，１４2を用いて複数の分岐回線に印加される。
【００１４】
タップ付巻線２０はクランプ形変流器１５に設けられている。また、タップ付巻線２０の一端は第１の端子１２1に接続されており、タップ付巻線２０の各タップはスイッチ１９および可変コイル１８を介して第２の端子１２2に接続されている。
対地静電容量電流ｉcは可変コイル１８のリアクタンス値Ｌを調整して交流電源１６からクランプ形変流器１５に供給する交流電圧の位相を変えて除去するが、可変コイル１８のリアクタンス値Ｌを変えても対地静電容量電流ｉcを除去しきれない場合には、スイッチ１９を用いてタップ付巻線２０のタップを切り換えることによってタップ付巻線２０の巻数を調整する。なお、タップ付巻線２０の各タップは、タップ付巻線２０のリアクタンスが１５０μＦ、３００μＦ、６００μＦおよび９００μＦに切り換えられるように設けられている。
【００１５】
クランプ形変流器１５には巻線２１が設けられており、また、巻線２１の両端は地絡電流測定部２２に接続されている。
上述したように対地静電容量電流ｉcを可変コイル１８およびタップ付巻線２０によって完全に除去することにより、クランプ形変流器１５に設けられた巻線２１によって、交流地絡電流ｉgに含まれる地絡電流ｉrのみを検出することができる。
クランプ形変流器１５によって検出された地絡電流ｉrの電流値は、地絡電流測定部２２によって測定されたのち、表示部２３に表示される。
【００１６】
次に、クランプメータ１０を用いて地絡回線を特定する方法（本発明の第１の実施例による直流地絡回線探査方法）について、図２および図３を参照して説明する。
図２に示す分岐回線２のＮ極側で地絡事故が発生すると、主回線１に設けられた直流地絡検出継電器４に「Ｎ極側に地絡事故が発生した」旨が表示される。
【００１７】
作業員は、地絡事故が継続している場合には、直流地絡検出継電器４のアース線を切り離す。その後、作業員は、クランプメータ１０の第２のクリップ１４2を端子台８のアース端子に取り付けたのちに第１のクリップ１４1を端子台８の任意の分岐回線のＮ極端子に取り付けて、クランプメータ１０の交流電源１６から交流電圧をこの分岐回線のＮ極側に印加する。
【００１８】
その後、作業員は、この分岐回線をクランプメータ１０のクランプ形変流器１５でクランプしたのち、表示部２３に表示される電流値（クランプ形変流器１５で検出される交流地絡電流ｉgの電流値）が最小となるように、クランプメータ１０のリアクタンス調整用つまみを回しながら可変コイル１８のリアクタンス値Ｌを調整する。このとき、最小電流値が得られない場合には、作業員は、クランプメータ１０のスイッチ１９を切り換えて、タップ付巻線２０の巻線数を変えたのちに、クランプメータ１０のリアクタンス調整用つまみを回しながら可変コイル１８のリアクタンス値Ｌを再度調整する。
【００１９】
クランプ形変流器１５でクランプした分岐回線のＮ極側に地絡事故が生じていない場合（すなわち、健全回線である場合）には、この分岐回線には地絡電流ｉrは流れていないため、図３（ａ）に示すように、表示部２３に表示される最小電流値（地絡電流ｉrの電流値）は“０”となる。一方、クランプ形変流器１５でクランプした分岐回線のＮ極側に地絡事故が生じている場合（すなわち、分岐回線２（地絡回線）である場合）には、この分岐回線には地絡電流ｉrが流れているため、図３（ｂ）に示すように、表示部２３に表示される最小電流値（地絡電流ｉrの電流値）は、“０”以外の値となる。
【００２０】
したがって、作業員は、主回線１から分岐された複数の分岐回線についてこのような作業を行うことにより、表示部２３に表示される最小電流値（地絡電流ｉrの電流値）が“０”以外の値を示した分岐回線２を地絡回線として特定することができる。
【００２１】
以上では、クランプメータ１０の交流電源１６から交流電圧を分岐回線に印加したが、クランプメータ１０とは別体の交流電源装置を用いて交流電圧を分岐回線に印加してもよい。ただし、この場合には、交流地絡電流ｉgに含まれる対地静電容量電流ｉcを可変コイル１８およびタップ付巻線２０によって除去するために、交流電源装置から出力される交流電圧を無線または有線によりクランプメータ１０に送信して、クランプメータ１０において交流電源装置から受信した交流電圧とクランプメータ１０の交流電源１６から出力される交流電圧との同期をとるようにする。
また、第１のクリップ１４1の短絡などにより直流電路の静電容量に印加する交流電源による短絡電流が流れることに対する保護回路として第１のヒューズを第１の端子１２1付近に設けるとともに、図２に示したようにクランプメータ１０を分岐回線２のＮ極側とアースとの間に接続しているときに分岐回線２のＰ極側が更に低いインピーダンスで接地するとタップ付巻線２０に直流電流が流れ込むことに対する保護回路として第２のヒューズ（通常は対地静電容量電流ｉcの補償電流しか流れないため第１のヒューズよりも小さな定格電流のものでよい。）をタップ付巻線２０付近に設けてもよい。
【実施例２】
【００２２】
次に、本発明の第２の実施例によるクランプメータ３０について、図４を参照して説明する。
本実施例によるクランプメータ３０は、図４に示すように、可変コイル１８、スイッチ１９およびタップ付巻線２０の代わりに同期整流回路３１を用いて対地静電容量電流ｉcを除去する点で、上述した第１の実施例によるクランプメータ１０と異なる。
【００２３】
すなわち、本実施例によるクランプメータ３０は、可変コイル１８、スイッチ１９およびタップ付巻線２０の代わりに、巻線２１から入力される交流地絡電流ｉgに含まれている地絡電流ｉrおよび対地静電容量電流ｉcの位相差が９０°であることを利用した同期整流処理を行って対地静電容量電流ｉcを除去して地絡電流ｉrのみを抽出する同期整流回路３１を具備する点で、上述した第１の実施例によるクランプメータ１０と異なる。
なお、同期整流回路３１には、同期整流処理を行うために、交流電圧が交流電源１６から入力される。
【００２４】
次に、クランプメータ３０を用いて地絡回線を特定する方法（本発明の第２の実施例による直流地絡回線探査方法）について、図５を参照して説明する。
図５に示す分岐回線２のＮ極側で地絡事故が発生すると、主回線１に設けられた直流地絡検出継電器４に「Ｎ極側に地絡事故が発生した」旨が表示される。
【００２５】
作業員は、地絡事故が継続している場合には、直流地絡検出継電器４のアース線を切り離す。その後、作業員は、クランプメータ３０の第２のクリップ１４2を端子台８のアース端子に取り付けたのちに第１のクリップ１４1を端子台８の任意の分岐回線のＮ極端子に取り付けて、クランプメータ３０の交流電源１６から交流電圧をこの分岐回線のＮ極側に印加する。
【００２６】
その後、作業員は、この分岐回線をクランプメータ３０のクランプ形変流器１５でクランプする。これにより、交流地絡電流ｉgに含まれる対地静電容量電流ｉcは上述したように同期整流回路３１によって除去されるため、交流地絡電流ｉgに含まれる地絡電流ｉrの電流値が地絡電流測定部２２によって測定され、その測定結果が表示部２３に表示される。
【００２７】
クランプ形変流器１５でクランプした分岐回線のＮ極側に地絡事故が生じていない場合（すなわち、健全回線である場合）には、この分岐回線には地絡電流ｉrは流れていないため、測定された地絡電流ｉrは“０”となる。一方、クランプ形変流器１５でクランプした分岐回線のＮ極側に地絡事故が生じている場合（すなわち、分岐回線２（地絡回線）である場合）には、この分岐回線には地絡電流ｉrは流れているため、測定された地絡電流ｉrの電流値が表示部２３に表示される。
【００２８】
したがって、作業員は、主回線１から分岐された複数の分岐回線についてこのような作業を行うことにより、表示部２３に表示される電流値が“０”以外の値を示した分岐回線２を地絡回線として特定することができる。
【００２９】
以上では、クランプメータ３０の交流電源１６から交流電圧を分岐回線に印加したが、クランプメータ３０とは別体の交流電源装置を用いて交流電圧を分岐回線に印加してもよい。ただし、この場合には、対地静電容量電流ｉcを同期整流回路３１によって除去するために、交流電源装置から出力される交流電圧を無線または有線によりクランプメータ３０に送信して、クランプメータ３０において交流電源装置から受信した交流電圧とクランプメータ３０の交流電源１６から出力される交流電圧との同期をとるようにする。
【実施例３】
【００３０】
次に、本発明の第３の実施例による直流地絡回線探査方法について、図６および図７を参照して説明する。
図６に示す分岐回線２のＮ極側で地絡事故が発生すると、主回線１に設けられた直流地絡検出継電器４に「Ｎ極側に地絡事故が発生した」旨が表示される。
【００３１】
作業員は、地絡事故が継続している場合には、直流地絡検出継電器４のアース線を切り離す。その後、作業員は、交流電源装置４０の第２のクリップ４１2を端子台８’のアース端子に取り付けたのちに第１のクリップ４１1を端子台８’の主回線１のＮ極端子に取り付けて、交流電源装置４０から交流電圧を主回線１のＮ極端側に印加する。
【００３２】
その後、作業員は、主回線１から分岐された複数の分岐回線の各々に流れる交流地絡電流ｉgを測定するために、任意の分岐回線をクランプ装置５０のクランプ形変流器５１でクランプする。これにより、交流地絡電流ｉgに含まれる対地静電容量電流ｉcはクランプ装置５０に内蔵された同期整流回路（不図示）によって除去されるため、交流地絡電流ｉgに含まれる地絡電流ｉrの電流値がクランプ装置５０の地絡電流測定部（不図示）によって測定され、その測定結果がクランプ装置５０の表示部（不図示）に表示される。
【００３３】
クランプ形変流器５１でクランプした分岐回線に地絡事故が生じていない場合（すなわち、健全回線である場合）には、この分岐回線には地絡電流ｉrは流れていないため、測定された地絡電流ｉrは“０”となる。一方、クランプ形変流器５１でクランプした分岐回線のＮ極側に地絡事故が生じている場合（すなわち、分岐回線２（地絡回線）である場合）には、この分岐回線には地絡電流ｉrは流れているため、測定された地絡電流ｉrの電流値が表示部に表示される。
【００３４】
したがって、作業員は、主回線１から分岐された複数の分岐回線についてこのような作業を行うことにより、クランプ装置５０の表示部に表示される電流値が“０”以外の値を示した分岐回線２を地絡回線として特定することができる。
【００３５】
なお、交流電源装置４０は、図７（ａ）に示す交流電源装置４０ａのように、本体４２と、電源プラグ４３、本体４２に内蔵されたトランス４４、カップリングコンデンサ４５およびヒューズ４６とを具備し、電源プラグ４２から入力されるＡＣ１００Ｖの交流電圧をトランス４４によって所定の電圧値の交流電圧に変換したのちにカップリングコンデンサ４５によって直流分を取り除いて第１および第２のクリップ４１1，４１2に供給するものでよい。
また、交流電源装置４０は、図７（ｂ）に示す交流電源装置４０ｂのように、電源プラグ４３およびトランス４４の代わりに、本体４２に内蔵された蓄電池４７およびインバータ回路４８を具備し、蓄電池４７から出力される直流電圧をインバータ回路４８で交流電圧に変換したのちカップリングコンデンサ４５によって直流分を取り除いて第１および第２のクリップ４１1，４１2に供給するものでもよい。
交流電源１６についても同様である。
【図面の簡単な説明】
【００３６】
【図１】本発明の第１の実施例によるクランプメータ１０の構成を示すブロック図である。
【図２】図１に示したクランプメータ１０を用いて地絡回線を特定する方法について説明するための図である。
【図３】図１に示した可変コイル１８のリアクタンス値Ｌを変えたときの交流地絡電流ｉgの変化を示すグラフであり、（ａ）は健全回線の場合を示すグラフであり、（ｂ）は地絡回線の場合を示すグラフである。
【図４】本発明の第２の実施例によるクランプメータ３０の構成を示すブロック図である。
【図５】図４に示したクランプメータ３０を用いて地絡回線を特定する方法について説明するための図である。
【図６】本発明の第３の実施例による直流地絡回線探査方法について説明するための図である。
【図７】図６に示した交流電源装置４０の構成の例を示す図である。
【図８】直流地絡回線探査方法の原理を説明するための図である。
【符号の説明】
【００３７】
１  主回線
２，２1〜２3  第１乃至第３の分岐回線
３  直流電源
４  直流地絡検出継電器
５1〜５3  第１乃至第３の負荷
６  直流地絡検出装置
７1〜７3  第１乃至第３の変流器
８，８’  端子台
１０，３０  クランプメータ
１１  筐体
１２1，１２2  第１および第２の端子
１３1，１３2  第１および第２のリード線
１４1，１４2，４１1，４１2  第１および第２のクリップ
１５，５１  クランプ形変流器
１６  交流電源（地絡電源）
１７，４５  カップリングコンデンサ
１８  可変コイル
１９  スイッチ
２０  タップ付巻線
２１  巻線
２２  地絡電流測定部
２３  表示部
３１  同期整流回路
４０，４０ａ，４０ｂ  交流電源装置
４２  本体
４３  電源プラグ
４４  トランス
４６  ヒューズ
４７  蓄電池
４８  インバータ回路
５０  クランプ装置
Ｌ  リアクタンス値
Ｉg  直流地絡電流
ｉg  交流地絡電流
ｉr  地絡電流
ｉc  対地静電容量電流
【図１】
0005661231.tif 000002
【図２】
0005661231.tif 000003
【図３】
0005661231.tif 000004
【図４】
0005661231.tif 000005
【図５】
0005661231.tif 000006
【図６】
0005661231.tif 000007
【図７】
0005661231.tif 000008
【図８】
0005661231.tif 000009